(57)【特許請求の範囲】
【請求項１】
紙製の円形台板（１０）の相対する２組の円周辺に、２組の円周足板（２１，２１，２１，２１）を山折り線（ａ，ａ，ａ，ａ）を介して連設して、
この円周足板（２１，２１，２１，２１）の相対する２組の片側辺に、２組の台下足板（２２，２２，２２，２２）を山折り線（ｂ，ｂ，ｂ，ｂ）を介して連設して、
この台下足板（２２，２２，２２，２２）の近接する２組の側辺に、２枚の連設足板（２３，２３）を山折り線（ｃ，ｃ，ｃ，ｃ）を介して連設して、
それぞれの連設足板（２３，２３）に、山折り線（ｃ，ｃ）の交点を通って連設足板（２３）を２分割する谷折り線（ｄ）を設けた電子レンジ用の円形加熱台。
【請求項２】
前記の円形台板（１０）に、円形台板（１０）を２分割する折り目線（ｅ）を設けたことを特徴とする、請求項１に記載の電子レンジ用の円形加熱台。
【請求項３】
請求項１又は請求項２に記載の電子レンジ用の円形加熱台が、上面が波形の片面段ボール紙製であることを特徴とする電子レンジ用の円形加熱台。
【発明の詳細な説明】
【０００１】
【産業上の利用分野】
本発明は、家庭用の電子レンジを用いて、特に円形の冷凍ピザなどの冷凍食品を解凍して加熱調理する時に、加熱調理の効率を向上させるために、これらの冷凍食品を体裁良く嵩上げできる電子レンジ用の円形加熱台に関する。
【０００２】
【従来の技術】
家庭用の電子レンジを用いて、冷凍食品などを解凍して加熱調理する時には、電子レンジの設計上、ターンテーブルなどの２〜３ｃｍ上方にマイクロ波が照射されるために、陶磁器製の食器皿や紙製の専用加熱台などを用いて、これらの冷凍食品を２〜３ｃｍ嵩上げして、加熱調理の効率を向上させている。
【０００３】
また、特に円形の冷凍ピザなどの専用加熱台については、内容物の保護枠などを兼ねた、板紙製や段ボール紙製などの偏平直方体状の専用加熱台を、これら冷凍ピザなどのパッケージの中に収容して販売して、購入した消費者の利便を図っている。
【０００４】
【発明が解決しようとする課題】
ところが、前述した円形の冷凍ピザなどの専用加熱台については、その殆どが偏平直方体状であるために、家庭用の電子レンジを用いて解凍して加熱調理する時に、円形のターンテーブルと円形の冷凍ピザなどとの間で偏平直方体状の専用加熱台がぎぐしゃく回転するなど、体裁が悪いことが問題であった。
【０００５】
また、特に円形の冷凍ピザなどを、前述した専用加熱台に乗せたままシュリンク包装して販売する時に、偏平直方体状の専用加熱台の４つの角部が邪魔になるなど、体裁良くシュリンク包装できないことが問題であった。
【０００６】
【課題を解決するための手段】
以上のような問題を解決するために、本発明は、図１に示すように、紙製の円形台板（１０）の相対する２組の円周辺に、２組の円周足板（２１，２１，２１，２１）を山折り線（ａ，ａ，ａ，ａ）を介して連設して、この円周足板（２１，２１，２１，２１）の相対する２組の片側辺に、２組の台下足板（２２，２２，２２，２２）を山折り線（ｂ，ｂ，ｂ，ｂ）を介して連設して、この台下足板（２２，２２，２２，２２）の近接する２組の側辺に、２枚の連設足板（２３，２３）を山折り線（ｃ，ｃ，ｃ，ｃ）を介して連設して、それぞれの連設足板（２３，２３）に、山折り線（ｃ，ｃ）の交点を通って連設足板（２３）を２分割する谷折り線（ｄ）を設けたことによって、家庭用の電子レンジを用いて、特に円形の冷凍ピザなどの冷凍食品（以下、該当冷凍食品と言う）を解凍して加熱調理する時に、加熱調理の効率を向上させるために、該当冷凍食品を体裁良く嵩上げできる電子レンジ用の円形加熱台を提供する。
【０００７】
また本発明は、図１（Ａ）に示すように、前記の円形台板（１０）に、円形台板（１０）を２分割する折り目線（ｅ）を設けたことによって、該当冷凍食品のパッケージの中に、２つ折りして収容できる電子レンジ用の円形加熱台を提供する。
【０００８】
さらに本発明は、前記に記載の電子レンジ用の円形加熱台が、上面が波形の片面段ボール紙製であることによって、該当冷凍食品を解凍して、“からっ”と加熱調理できる電子レンジ用の円形加熱台を提供する。
【０００９】
本発明の電子レンジ用の円形加熱台においては、必要に応じて耐水性や耐油性や抗菌性などを付加するために、適宜のプラスチック材料などを塗布又は積層した、また必要に応じて該当冷凍食品に焦げ目などを付けるために、上面にアルミニウム蒸着層などを積層した、適度の強度と剛性とを有する板紙や段ボール紙などを用いて、マイクロ波で加熱され難い（水分の含有量が少ない）電子レンジ用の円形加熱台を作製する。
【００１０】
【作用】
本発明の電子レンジ用の円形加熱台においては、全ての山折り線（ａ，ａ，ａ，ａ，ｂ，ｂ，ｂ，ｂ，ｃ，ｃ，ｃ，ｃ）を山折り（上面側が山になる、以下同じ）して、また連設足板（２３，２３）の谷折り線（ｄ，ｄ）を谷折り（上面側（図１（Ｂ）では左右側面）が谷になる、以下同じ）して、円形台板（１０）の下方に台下足板（２２，２２，２２，２２）をＸ字状に押込むだけで、図１（Ｂ）に示す円周足板（２１，２１，２１，２１）と台下足板（２２，２２，２２，２２）と連設足板（２３，２３）とを形成できるために、購入した消費者がワンタッチで、手間をかけずに電子レンジ用の円形加熱台の安定した形状が得られる。
【００１１】
加えて、本発明の電子レンジ用の円形加熱台においては、円形台板（１０）の上に該当冷凍食品を載置するだけで、この円形台板（１０）に該当冷凍食品の重量が均一に掛かるために、図１（Ｂ）に示す円周足板（２１，２１，２１，２１）と台下足板（２２，２２，２２，２２）と連設足板（２３，２３）とを繋止する必要がなくて、手間をかけずに電子レンジ用の円形加熱台の安定した形状が保持できる。
【００１２】
【実施例】
本発明の実施例における、図１（Ａ）は、電子レンジ用の円形加熱台のブランクの平面図であって、また図１（Ｂ）は、電子レンジ用の円形加熱台の斜視説明図である。
【００１３】
本実施例の電子レンジ用の円形加熱台においては、円形台板（１０）を２分割する折り目線（ｅ）を設けた２０５ｍｍφの円形台板（１０）の、図１（Ａ）に２点鎖線で示す中心角が９０度の相対する２組の円周辺に、３０×４０ｍｍの２組の円周足板（２１，２１，２１，２１）を弧状の山折り線（ａ，ａ，ａ，ａ）を介して連設して、この円周足板（２１，２１，２１，２１）の相対する２組の片側辺に、２９×８３ｍｍの２組の台下足板（２２，２２，２２，２２）を山折り線（ｂ，ｂ，ｂ，ｂ）を介して連設して、この台下足板（２２，２２，２２，２２）の近接する２組の側辺に、２９×２９ｍｍの２枚の連設足板（２３，２３）を山折り線（ｃ，ｃ，ｃ，ｃ）を介して連設して、それぞれの連設足板（２３，２３）に、山折り線（ｃ，ｃ）の交点を通って連設足板（２３）を２分割する谷折り線（ｄ）を設けた電子レンジ用の円形加熱台のブランクを、耐水性と耐油性とを付加した上面が波形の片面段ボール紙を用いて、打抜型を用いた通常の打抜工程で作製した。
【００１４】
続いて、本実施例の電子レンジ用の円形加熱台のブランクの、全ての山折り線（ａ，ａ，ａ，ａ，ｂ，ｂ，ｂ，ｂ，ｃ，ｃ，ｃ，ｃ）を山折りして、また連設足板（２３，２３）の谷折り線（ｄ，ｄ）を谷折りして、円形台板（１０）の下方に台下足板（２２，２２，２２，２２）をＸ字状に押込んだところ、ワンタッチで、図１（Ｂ）に示す電子レンジ用の円形加熱台の安定した形状が得られた。
【００１５】
本実施例の電子レンジ用の円形加熱台においては、円形台板（１０）の上に該当冷凍食品を載置して、そのまま体裁良くシュリンク包装して販売できるものであって、この円形台板（１０）に該当冷凍食品の重量が均一に掛かるために、図１（Ｂ）に示す電子レンジ用の円形加熱台の安定した形状が保持できる。
【００１６】
また、本実施例の電子レンジ用の円形加熱台においては、図１（Ａ）に示す円形台板（１０）を２分割する折り目線（ｅ）を設けたことによって、該当冷凍食品のパッケージの中に、ブランクの状態で２つ折りして収容できる、嵩張らない電子レンジ用の円形加熱台が得られた。
【００１７】
さらに、本実施例の電子レンジ用の円形加熱台においては、耐水性と耐油性とを付加した上面が波形の片面段ボール紙を用いたことによって、該当冷凍食品を解凍して、加熱調理する時に発生する水分と油分とを上面の波形が吸収して、“からっ”と加熱調理できる電子レンジ用の円形加熱台が得られた。
【００１８】
なお、本実施例の電子レンジ用の円形加熱台においては、図１（Ａ）に２点鎖線で示す中心角が９０度の相対する２組の円周辺に、２組の円周足板（２１，２１，２１，２１）を山折り線（ａ，ａ，ａ，ａ）を介して連設したために、図１（Ｂ）に示すように、それぞれ三角形状の連設足板（２３，２３）の先端が円形台板（１０）の下方中心で殆ど接触するように、Ｘ字状に押込んだ台下足板（２２，２２，２２，２２）が得られたが、この中心角が９０度以上の場合には、それぞれ三角形状の連設足板（２３，２３）が重なるように、Ｘ字状に押込んだ台下足板（２２，２２，２２，２２）が得られる、また中心角が９０度以下の場合には、それぞれ三角形状の連設足板（２３，２３）の先端が少し離れるように、Ｘ字状に押込んだ台下足板（２２，２２，２２，２２）が得られる、すなわち、図１（Ａ）に２点鎖線で示す中心角を、好みに応じて８０〜９５度に設定することが出来る。
【００１９】
【発明の効果】
本発明の電子レンジ用の円形加熱台においては、全ての山折り線を山折りして、また谷折り線を谷折りして、円形台板（１０）の下方に台下足板（２２，２２，２２，２２）をＸ字状に押込むだけで、ワンタッチで、手間をかけずに電子レンジ用の円形加熱台の安定した形状が得られる。
【００２０】
加えて、本発明の電子レンジ用の円形加熱台においては、円形台板（１０）の上に該当冷凍食品を載置するだけで、この円形台板（１０）に該当冷凍食品の重量が均一に掛かるために、手間をかけずに電子レンジ用の円形加熱台の安定した形状が保持できる。
【００２１】
すなわち、本発明の電子レンジ用の円形加熱台においては、家庭用の電子レンジを用いて、特に円形の冷凍ピザなどの冷凍食品を解凍して加熱調理する時に、加熱調理の効率を向上させるために、これらの冷凍食品を体裁良く嵩上げできる電子レンジ用の円形加熱台を提供できる。
【図面の簡単な説明】
【図１】本発明の実施例における、図１（Ａ）は、電子レンジ用の円形加熱台のブランクの平面図であって、また図１（Ｂ）は、電子レンジ用の円形加熱台の斜視説明図である。
【符号の説明】
１０            …円形台板
２１            …円周足板
２２            …台下足板
２３            …連設足板
ａ，ｂ，ｃ    …山折り線
ｄ              …谷折り線
ｅ            …折り目線
【図１】
0003582144.tif 000002